(57)【特許請求の範囲】
【請求項１】
固定子と回転子とを有するモータ部と、
前記回転子に連結され前記回転子と共に回転するインペラを有するポンプ部と、
前記モータ部の固定子と回転子との間に配置され前記固定子を前記ポンプ部から隔離密閉するキャンと、
を備えたキャンドモータポンプであって、
前記モータ部の固定子は、樹脂材が一体にモールド成形されると共に当該樹脂材から成る保持部が一体に形成されており、
かつ、前記キャンは、樹脂材から成り前記保持部に接合する状態で前記モータ部の固定子と一体に形成されている、
ことを特徴とするキャンドモータポンプ。
【請求項２】
前記保持部は、前記モータ部の固定子の径方向外端部側に形成されたことを特徴とする請求項１記載のキャンドモータポンプ。
【請求項３】
前記保持部は、前記ポンプ部と反対側に形成されたことを特徴とする請求項１記載のキャンドモータポンプ。
【請求項４】
前記保持部は、複数箇所に形成されたことを特徴とする請求項１乃至請求項３の何れか１項に記載のキャンドモータポンプ。
【請求項５】
固定子と回転子とを有するモータ部と、
前記回転子に連結され前記回転子と共に回転するインペラを有するポンプ部と、
前記モータ部の固定子と回転子との間に配置され前記固定子を前記ポンプ部から隔離密閉するキャンと、
を備えたキャンドモータポンプの製造方法であって、
第１の樹脂成形工程によって、前記モータ部の固定子に樹脂材を一体にモールド成形すると共に当該樹脂材から成る保持部を一体に形成し、
次いで、第２の樹脂成形工程によって、前記保持部により前記モータ部の固定子を保持して樹脂材により前記保持部に接合する状態で前記モータ部の固定子と一体に前記キャンを形成する、
ことを特徴とするキャンドモータポンプの製造方法。
【発明の詳細な説明】
【０００１】
【発明の属する技術分野】
本発明はキャンドモータポンプ及びその製造方法に関する。
【０００２】
【従来の技術】
モータによって駆動されるポンプのうち、モータの固定子をポンプ部から隔離密閉した構成のキャンドモータポンプが知られている。
【０００３】
この種のキャンドモータポンプは、モータの固定子と回転子との間にキャン（密閉容器）を備えており、このキャンによって固定子をポンプ部から隔離密閉しているため、軸封部が無く、揚液の漏れが生じないため、ウォータポンプ等として広く適用されている。
【０００４】
ところで、従来のこのようなキャンドモータポンプには、以下の如き欠点があった。すなわち、前述の如く固定子をポンプ部から隔離密閉するキャンを備えた構成であるため、全体としては部品点数が増加する。また、キャンの強度を確保するためにこれを厚肉にすることで対応しようとすると、モータの固定子と回転子との間の実質的なギャップが大きくなってしまい、モータの効率が悪化し、しかも装置が大型化してしまう。さらに、金属製のキャンとした場合には、渦電流損による損失が発生する。またさらに、モータの固定子と回転子との間にキャンを配置し固定子をポンプ部から隔離密閉した構成ではあるものの、このキャンとモータハウジングとの間等からの浸水を防止するためのシール構造が必要になっていた。
【０００５】
そこで、モータの固定子を樹脂材によって一体にモールド成形し、しかもその樹脂材によってキャンを一体に形成する構造とすれば、前述の如き欠点を解消することができると考えられる。しかしながら、このような構造にしたうえでモータの固定子のシール性及び防水性を確保するためには、モータの固定子の全周面を樹脂材で覆う必要がある。ところが、モータの固定子の全周面を樹脂材で覆うためには、この固定子を「宙に浮かせた状態」で樹脂モールド成形を行なわなければならない。またそのために、固定子をピン等によって支えて樹脂モールド成形しようとしても、ピン跡部分は依然として樹脂材で覆うことができず、結果的に固定子の全周面を樹脂材で覆うことができないため、シール性及び防水性を確保することができなくなる。
【０００６】
【発明が解決しようとする課題】
本発明は上記事実を考慮し、モータの固定子を樹脂材によって一体にモールド成形し、しかもその樹脂材によってキャンを一体に形成する構造を、シール性及び防水性を損なうことなく成立させることができるキャンドモータポンプ及びその製造方法を得ることが目的である。
【０００７】
【課題を解決するための手段】
請求項１に係る発明のキャンドモータポンプは、固定子と回転子とを有するモータ部と、前記回転子に連結され前記回転子と共に回転するインペラを有するポンプ部と、前記モータ部の固定子と回転子との間に配置され前記固定子を前記ポンプ部から隔離密閉するキャンと、を備えたキャンドモータポンプであって、前記モータ部の固定子は、樹脂材が一体にモールド成形されると共に当該樹脂材から成る保持部が一体に形成されており、かつ、前記キャンは、樹脂材から成り前記保持部に接合する状態で前記モータ部の固定子と一体に形成されている、ことを特徴としている。
【０００８】
請求項１記載のキャンドモータポンプでは、モータ部の固定子は、樹脂材が一体にモールド成形されると共にこの樹脂材から成る保持部が一体に形成されている。またしかも、キャンは、樹脂材から成っており、モータ部の固定子に形成された保持部に接合する状態でこの固定子と一体に形成されている。すなわち、共に樹脂材から成る固定子の保持部とキャンとが接合された状態で一体に形成されているため、この樹脂材から成る保持部及びキャンによってモータ部の固定子の全周面が覆われており、固定子をポンプ部から隔離密閉することができる。
【０００９】
このように、請求項１記載のキャンドモータポンプでは、モータ部の固定子を樹脂材によって一体にモールド成形し、しかもその樹脂材によってキャンを一体に形成する構造を、シール性及び防水性を損なうことなく成立させることができる。
【００１０】
請求項２に係る発明のキャンドモータポンプは、請求項１記載のキャンドモータポンプにおいて、前記保持部は、前記モータ部の固定子の径方向外端部側に形成されたことを特徴としている。
【００１１】
請求項２記載のキャンドモータポンプでは、保持部がモータ部の固定子の径方向外端部側に形成されているため、保持部とキャンとの接合部分がモータ部の回転子すなわちこの回転子に連結されたポンプ部（換言すれば、所謂「水周り」）から離間した（遠ざかった）位置に存在することになり、シール性及び防水性を一層確実に確保することができる。
【００１２】
請求項３に係る発明のキャンドモータポンプは、請求項１記載のキャンドモータポンプにおいて、前記保持部は、前記ポンプ部と反対側に形成されたことを特徴としている。
【００１３】
請求項３記載のキャンドモータポンプでは、保持部がポンプ部と反対側に形成されているため、保持部とキャンとの接合部分がポンプ部（換言すれば、所謂「水周り」）から離間した（遠ざかった）位置に存在することになり、シール性及び防水性を一層確実に確保することができる。
【００１４】
請求項４に係る発明のキャンドモータポンプは、請求項１乃至請求項３の何れか１項に記載のキャンドモータポンプにおいて、前記保持部は、複数箇所に形成されたことを特徴としている。
【００１５】
請求項４記載のキャンドモータポンプでは、キャンを第２の樹脂成形によって保持部に接合する状態で樹脂材から一体に形成する際に、保持部の形成箇所が多いほど、この第２の樹脂成形による射出圧による部材のズレを抑えることができ、製品精度が向上する。
【００１６】
請求項５に係る発明のキャンドモータポンプの製造方法は、固定子と回転子とを有するモータ部と、前記回転子に連結され前記回転子と共に回転するインペラを有するポンプ部と、前記モータ部の固定子と回転子との間に配置され前記固定子を前記ポンプ部から隔離密閉するキャンと、を備えたキャンドモータポンプの製造方法であって、第１の樹脂成形工程によって、前記モータ部の固定子に樹脂材を一体にモールド成形すると共に当該樹脂材から成る保持部を一体に形成し、次いで、第２の樹脂成形工程によって、前記保持部により前記モータ部の固定子を保持して樹脂材により前記保持部に接合する状態で前記モータ部の固定子と一体に前記キャンを形成する、ことを特徴としている。
【００１７】
請求項５記載のキャンドモータポンプの製造方法では、第１の樹脂成形工程によって、モータ部の固定子に樹脂材が一体にモールド成形されると共に当該樹脂材によって保持部が一体に形成される。次いで、第２の樹脂成形工程によって、モータ部の固定子に形成された保持部によりこの固定子が保持され、樹脂材によって保持部に接合する状態でこの固定子と一体にキャンが形成される。
【００１８】
ここで、従来では、モータ部の固定子を樹脂材によって一体にモールド成形し、しかもその樹脂材によってキャンを一体に形成する構造としたうえでモータ部の固定子のシール性及び防水性を確保するためには、モータ部の固定子の全周面を樹脂材で覆う必要がある。ところが、モータの固定子の全周面を樹脂材で覆うためには、この固定子を「宙に浮かせた状態」で樹脂モールド成形を行なわなければならない。またそのために、固定子をピン等によって支えて樹脂モールド成形しようとしても、ピン跡部分は依然として樹脂材で覆うことができず、結果的に固定子の全周面を樹脂材で覆うことができないため、シール性及び防水性を確保することができない。
【００１９】
この点、請求項５記載のキャンドモータポンプの製造方法では、第１の樹脂成形工程によってモータ部の固定子に保持部を予め形成し、第２の樹脂成形工程によって、この保持部によって固定子を保持したうえで、樹脂材によって保持部に接合する状態で固定子と一体にキャンを形成する構成としているため、すなわち、共に樹脂材から成る固定子の保持部とキャンとが接合された状態で一体に形成されるため、この樹脂材から成る保持部及びキャンによってモータ部の固定子の全周面を覆うことができ、固定子をポンプ部から隔離密閉することができる。
【００２０】
このように、請求項５記載のキャンドモータポンプの製造方法では、モータ部の固定子を樹脂材によって一体にモールド成形し、しかもその樹脂材によってキャンを一体に形成する構造を、シール性及び防水性を損なうことなく成立させることができる。
【００２１】
【発明の実施の形態】
図１には本発明の実施の形態に係るキャンドモータポンプ１０の全体構成が断面図にて示されている。
【００２２】
キャンドモータポンプ１０は、モータ部１２とポンプ部１４とによって構成されている。モータ部１２は、固定子１６と回転子１８とを有している。モータ部１２の固定子１６は、樹脂材が一体にモールド成形されると共に、図２及び図３にも示す如く当該樹脂材から成る保持部２０が一体に複数箇所に形成されている。これらの保持部２０は、ポンプ部１４と反対側であってしかもモータ部１２の固定子１６の径方向外端部側に形成されている。また、モータ部１２の回転子１８は、固定子１６の内方側に位置しており、支軸２２周りに回転する。
【００２３】
一方、ポンプ部１４は、モータ部１２の回転子１８に連結されたインペラ２４を有しており、回転子１８と共にインペラ２４が回転することで、吸入孔２６から揚液を吸い込み、吐出孔２８から吐出する構成となっている。
【００２４】
さらに、このキャンドモータポンプ１０は、キャン３０を備えている。キャン３０は、固定子１６の保持部２０及びその一体モールド成形材と同様に、樹脂材から成っており、モータ部１２の固定子１６と回転子１８との間に配置されて固定子１６をポンプ部１４から隔離密閉している。しかも、キャン３０は、その一部が固定子１６の外周側にも位置してキャンドモータポンプ１０のハウジング部３２を構成しており、このハウジング部３２において、モータ部１２の固定子１６の保持部２０に接合する状態で(接合部分Ａによって）固定子１６と一体に形成された構成となっている。
【００２５】
次に本実施の形態の作用をキャンドモータポンプ１０の製造方法と併せて説明する。
【００２６】
上記構成のキャンドモータポンプ１０を製造する際には、先ず、第１の樹脂成形工程によって、モータ部１２の固定子１６に樹脂材を一体にモールド成形すると共に、当該樹脂材から成る保持部２０を一体に複数箇所に形成する（図３図示状態）。
【００２７】
次いで、第２の樹脂成形工程によって、保持部２０によりモータ部１２の固定子１６を成形型内に保持して、同様の樹脂材により保持部２０に接合する状態でモータ部１２の固定子１６と一体にキャン３０（及びハウジング部３２）を形成する（図２図示状態）。
【００２８】
以上の如く、本実施の形態に係るキャンドモータポンプ１０では、モータ部１２の固定子１６は、樹脂材が一体にモールド成形されると共にこの樹脂材から成る保持部２０が一体に形成されている。またしかも、キャン３０（及びハウジング部３２）は、樹脂材から成っており、モータ部１２の固定子１６に形成された保持部２０に接合する状態でこの固定子１６と一体に形成されている。すなわち、共に樹脂材から成る固定子１６の保持部２０とキャン３０（及びそのハウジング部３２）とが接合された状態で一体に形成されているため、この樹脂材から成る保持部２０及びキャン３０（及びハウジング部３２）によってモータ部１２の固定子１６の全周面が覆われており、固定子１６をポンプ部１４から隔離密閉することができる。
【００２９】
また、このキャンドモータポンプ１０では、保持部２０がポンプ部１４と反対側であってモータ部１２の固定子１６の径方向外端部側に形成されているため、保持部２０とキャン３０との接合部分Ａがモータ部１２の回転子１８すなわちこの回転子１８に連結されたポンプ部１４（換言すれば、所謂「水周り」）から離間した（遠ざかった）位置に存在することになり、シール性及び防水性を一層確実に確保することができる。
【００３０】
さらに、このキャンドモータポンプ１０において、保持部２０は複数箇所に形成されているため、キャン３０（及びハウジング部３２）を第２の樹脂成形によって保持部２０に接合する状態で樹脂材から一体に形成する際に、保持部２０の形成箇所が多いほど、この第２の樹脂成形による射出圧による部材のズレを抑えることができ、製品精度が向上する。
【００３１】
またここで、従来では、モータ部１２の固定子１６を樹脂材によって一体にモールド成形し、しかもその樹脂材によってキャン３０を一体に形成する構造としたうえでモータ部１２の固定子１６のシール性及び防水性を確保するためには、モータ部１２の固定子１６の全周面を樹脂材で覆う必要があるが、モータ部１２の固定子１６の全周面を樹脂材で覆うためには、この固定子１６を「宙に浮かせた状態」で樹脂モールド成形を行なわなければならない。またそのために、固定子１６をピン等によって支えて樹脂モールド成形しようとしても、ピン跡部分は依然として樹脂材で覆うことができず、結果的に固定子１６の全周面を樹脂材で覆うことができないため、シール性及び防水性を確保することができなかった。
【００３２】
この点、本実施の形態に係るキャンドモータポンプ１０及びその製造方法では、第１の樹脂成形工程によってモータ部１２の固定子１６に保持部２０を予め形成し、第２の樹脂成形工程によって、この保持部２０によって固定子１６を保持したうえで、樹脂材によって保持部２０に接合する状態で固定子１６と一体にキャン３０（及びハウジング部３２）を形成する構成としているため、すなわち、共に樹脂材から成る固定子１６の保持部２０とキャン３０（及びそのハウジング部３２）とが接合された状態で一体に形成されるため、この樹脂材から成る保持部２０及びキャン３０（及びハウジング部３２）によってモータ部１２の固定子１６の全周面を覆うことができ、固定子１６をポンプ部１４から隔離密閉することができる。
【００３３】
このように、本実施の形態に係るキャンドモータポンプ１０及びその製造方法では、モータ部１２の固定子１６を樹脂材によって一体にモールド成形し、しかもその樹脂材によってキャン３０を一体に形成する構造を、シール性及び防水性を損なうことなく成立させることができる。
【図面の簡単な説明】
【図１】本発明の実施の形態に係るキャンドモータポンプの全体構成を示す断面図である。
【図２】本発明の実施の形態に係るキャンドモータポンプにおいて第２の樹脂成形工程の後の固定子及びキャンの状態を示す概略的な構成図である。
【図３】本発明の実施の形態に係るキャンドモータポンプにおいて第１の樹脂成形工程によって固定子に保持部を一体に形成した状態を示す図２に対応した概略的な構成図である。
【符号の説明】
１０    キャンドモータポンプ
１２    モータ部
１４    ポンプ部
１６    固定子
１８    回転子
２０    保持部
２４    インペラ
３０    キャン
３２    ハウジング部
Ａ      接合部分
【図１】
0004685292.tif 000002
【図２】
0004685292.tif 000003
【図３】
0004685292.tif 000004